(57)【要約】【課題】基板収納ケースを裏返すことなく基板の裏面を目視可能とし、基板収納ケースが遊技機に装着された状態で基板の裏面を確認することができる基板収納ケースを提供することを目的とする。【解決手段】遊技機の所定箇所に取り付けられる底板１６と、底板１６の上面１６ｂと対向に位置する主基板１７と、主基板１７を覆い、透光性部材により形成されるカバー体１８と、を備える基板収納ケース１４において、底板１６の上面１６ｂの一部又は全体に光反射部材を備え、底板１６の上面１６ｂを、主基板１７に対して傾斜させる。【選択図】        図８
2006230781.tif 000002
【特許請求の範囲】
【請求項１】
遊技機の所定箇所に取り付けられる底板と、
該底板の上面と対向に位置する回路基板と、
該回路基板を覆い、透光性部材により形成されるカバー体と、を備える遊技機の基板収納ケースにおいて、
前記底板の上面の一部又は全体に光反射部材を備え、
前記底板の上面を、前記回路基板に対して傾斜させることを特徴とする遊技機の基板収納ケース。
【請求項２】
遊技機の所定箇所に取り付けられる底板と、
該底板の上面と対向に位置する回路基板と、
該回路基板を覆い、透光性部材により形成されるカバー体と、を備える遊技機の基板収納ケースにおいて、
前記底板の上面の一部又は全体に光反射部材を備え、
該光反射部材を、前記回路基板に対して傾斜させることを特徴とする遊技機の基板収納ケース。
【請求項３】
遊技機の所定箇所に取り付けられる底板と、
該底板の上面と対向に位置する回路基板と、
該回路基板を覆い、透光性部材により形成されるカバー体と、を備える遊技機の基板収納ケースにおいて、
前記底板の上面の一部又は全体に光反射部材を備え、
前記回路基板を、前記底板の上面に対して傾斜させることを特徴とする遊技機の基板収納ケース。
【請求項４】
前記底板は、前記回路基板を固定するための基板固定部材を備え、
該基板固定部材は、前記回路基板を前記底板の上面に対して傾斜させて固定できる形状とすることを特徴とする請求項３に記載の遊技機の基板収納ケース。
【請求項５】
前記光反射部材は、前記底板の上面側からは反射鏡面に見え、前記底板の下面側からは透過して見えることを特徴とする請求項１ないし４のいずれか１つに記載の遊技機の基板収納ケース。
【請求項６】
前記底板の上面及び／又は前記回路基板を照射する発光部材を設けることを特徴とする請求項１ないし５のいずれか１つに記載の遊技機の基板収納ケース。
【発明の詳細な説明】
【技術分野】
【０００１】
本発明は、パチンコ遊技機やスロットマシンなどの遊技機に取り付けられ、その遊技動作を制御するための基板を収納する遊技機の基板収納ケースに関するものである。
【背景技術】
【０００２】
従来、不正行為防止のため主制御基板等の基板を基板収納ケースに収納し、かしめ手段により該基板を基板収納ケース内部に密封している。しかし、密封した基板収納ケースでは、故障等により基板に何等かのトラブルが生じ、基板を確認する必要がある場合には、密封状態の基板収納ケースを開放しなければならない。そこで、基板収納ケースを透光性部材により形成し、また特許文献１に記載のように透視部を基板収納ケースに設けることにより、基板収納ケースを開封せずとも基板収納ケースの外部から容易に基板を視認できるようにしている。
【特許文献１】特開平１０−７１２５６号公報
【発明の開示】
【発明が解決しようとする課題】
【０００３】
しかしながら、上記構成の基板収納ケースにおいては、前記基板が、基板の裏面を遊技機側に向けて基板収納ケースに収納されているため、基板の裏面を確認するには、遊技機に装着された基板収納ケースをいちいち取り外して基板収納ケースを裏返さなければならないという課題がある。また、特許文献１に記載された発明のように、基板収納ケースを遊技機に対して回動自在に取り付け、基板収納ケースを回動させることにより基板の裏面を確認できる構成とする場合、基板の裏面を確認するために基板収納ケースを取り外す必要はないが、基板収納ケースを回動させる必要がある。
【０００４】
本発明は上記に鑑みてなされたもので、基板収納ケースを裏返すことなく基板の裏面を目視可能とし、基板収納ケースが遊技機に装着された状態のままで基板の裏面を確認することができる基板収納ケースを提供することを目的とするものである。
【課題を解決するための手段】
【０００５】
上記目的を達成するため、請求項１に記載の遊技機の基板収納ケースは、遊技機の所定箇所に取り付けられる底板と、該底板の上面と対向に位置する回路基板と、該回路基板を覆い、透光性部材により形成されるカバー体と、を備える遊技機の基板収納ケースにおいて、前記底板の上面の一部又は全体に光反射部材を備え、前記底板の上面を、前記回路基板に対して傾斜させることを特徴とする。これにより、底板の上面に備えられた光反射部材に回路基板の裏面が映し出され、基板収納ケースの横方向（カバー体側面）から回路基板の裏面を視認できるように作用する。
【０００６】
ここで、「底板の上面」とは、底板の面のうち基板収納ケース内部に位置する面であり、底板を遊技機に取り付けた場合において遊技機に接する底板の面（後述する底板の下面）の裏側に位置する。「透光性部材により形成される」とは、基板収納ケースの外部からカバー体を介して回路基板の裏面を目視できる構成であれば、カバー体全体を透光性部材により形成してもよいし、カバー体の一部を透光性部材により形成してもよい。「光反射部材」とは、光反射部材に映し出された回路基板の裏面を視認できる程度に一定の反射率が確保されたものが好ましく、例えば鏡面加工されたシールプレート等が挙げられる。
【０００７】
「傾斜」は、光反射部材に回路基板の裏面が映し出され、基板収納ケースの横方向から回路基板の裏面を視認できるような傾斜であればよく、傾斜角度や底板の上面の形状などは特に限定されない。なお、「底板の上面」は固定面であり、平面であることが好ましく、また１つの平面であってもよいし、複数の平面によって構成されていてもよい。
【０００８】
請求項２に記載の遊技機の基板収納ケースは、遊技機の所定箇所に取り付けられる底板と、該底板の上面と対向に位置する回路基板と、該回路基板を覆い、透光性部材により形成されるカバー体と、を備える遊技機の基板収納ケースにおいて、前記底板の上面の一部又は全体に光反射部材を備え、該光反射部材を、前記回路基板に対して傾斜させることを特徴とする。
【０００９】
「傾斜」は、光反射部材に回路基板の裏面が映し出され、基板収納ケースの横方向から回路基板の裏面を視認できるような傾斜であればよく、傾斜角度や光反射部材の形状などは特に限定されない。
【００１０】
請求項３に記載の遊技機の基板収納ケースは、遊技機の所定箇所に取り付けられる底板と、該底板の上面と対向に位置する回路基板と、該回路基板を覆い、透光性部材により形成されるカバー体と、を備える遊技機の基板収納ケースにおいて、前記底板の上面の一部又は全体に光反射部材を備え、前記回路基板を、前記底板の上面に対して傾斜させることを特徴とする。
【００１１】
「傾斜」は、光反射部材に回路基板の裏面が映し出され、基板収納ケースの横方向から回路基板の裏面を視認できるような傾斜であればよく、傾斜角度や回路基板を傾斜させる方向などは特に限定されない。
【００１２】
請求項４に記載の遊技機の基板収納ケースは、前記底板は、前記回路基板を固定するための基板固定部材を備え、該基板固定部材は、前記回路基板を前記底板の上面に対して傾斜させて固定できる形状とすることを特徴とする。
【００１３】
「傾斜させて固定できる形状」とは、例えば底板の上面周縁部に設けられた複数の基板固定部材に、高低差を付けることなどが挙げられる。
【００１４】
請求項５に記載の遊技機の基板収納ケースは、前記光反射部材は、前記底板の上面側からは反射鏡面に見え、前記底板の下面側からは透過して見えることを特徴とする。
【００１５】
ここで、「底板の上面側」とは、底板の上面と接着されていない光反射部材の面を視認できる位置であればよく、底板の上面上方はもちろん、基板収納ケースの横方向（カバー体側面）なども含まれる。「底板の下面」とは、底板を遊技機に取り付けた場合において遊技機に接する底板の面である。「底板の下面側」とは、底板を遊技機から取り外した場合に、前記底板の下面を介して光反射部材を見ることができる位置であればよい。なお、底板は透光性部材により形成されることが好ましい。
【００１６】
請求項６に記載の遊技機の基板収納ケースは、前記底板の上面及び／又は前記回路基板を照射する発光部材を設けることを特徴とする。
【００１７】
ここで、「発光部材」とは、底板の上面を照射できるものであれば、発光ダイオードでもよいし、白熱電球等でもよい。また、発光部材の設置位置は、底板の上面及び／又は回路基板を照射することができる位置であれば、特に限定されない。
【発明の効果】
【００１８】
請求項１の発明によれば、底板の上面に光反射部材を備え、底板の上面を回路基板に対して傾斜させる構成としたため、底板の上面に備えられた光反射部材に回路基板の裏面が映し出され、基板収納ケースの横方向（カバー体側面）から回路基板の裏面を視認することができる。これにより、基板収納ケースを裏返すことなく回路基板の裏面を目視することが可能となり、基板収納ケースが遊技機に装着された状態で回路基板の裏面を確認することができる。
【００１９】
請求項２の発明によれば、底板の上面に光反射部材を備え、光反射部材を回路基板に対して傾斜させる構成としたため、上記請求項１の効果と同様の効果を発揮することができる。
【００２０】
請求項３の発明によれば、底板の上面に光反射部材を備え、回路基板を底板の上面に対して傾斜させる構成としたため、底板の上面の形状が１つの平面であっても、上記請求項１の効果と同様の効果を発揮することができ、これにより、底板の上面に備えられる光反射部材を凹凸形成しなくてもよく、量産する場合において好適である。
【００２１】
請求項４の発明によれば、底板に回路基板を固定するための基板固定部材を備え、該基板固定部材は、回路基板を底板の上面に対して傾斜させて固定できる形状とする構成としたため、上記請求項１および２の構成に比べ、容易に回路基板と底板の上面とが傾斜した状態にすることができ、請求項１の効果と同様の効果を発揮することができる。
【００２２】
請求項５の発明によれば、光反射部材は、底板の上面側からは反射鏡面に見え、底板の下面側からは透過して見える構成としたため、請求項１の効果と同様の効果を奏すると同時に、基板収納ケースを遊技機から取り外した状態において、底板の下面側から回路基板の裏面を確認することができる。
【００２３】
請求項６の発明によれば、底板の上面及び／又は回路基板を照射する発光部材を設ける構成としたため、遊技機の裏面における基板収納ケースの取り付け位置が、遊技機の裏面に設置されている回路基板以外の各基板等により陰になりやすい位置であっても、十分な視認性を確保して回路基板の裏面を視認することができる。
【発明を実施するための最良の形態】
【００２４】
以下、本発明に係る遊技機における基板収納ケースの実施形態１〜３を図面と共に説明する。なお、遊技機にはパチンコ遊技機、スロットマシン等が有るが、その一例としてパチンコ遊技機について説明する。まず、実施形態１の基板収納ケース１４について説明する。図１は本発明が適用されるパチンコ遊技機の裏面図である。図中、１は機枠であり、該機枠１に装着される前面枠２の裏面に遊技盤取付枠３が固着され、該遊技盤取付枠３に遊技盤４が装着されている。そして、遊技盤取付枠３の一側には遊技盤４の裏面全体を覆う合成樹脂製の機構板５が開閉自在に装着されている。
【００２５】
前記機構板５の裏面にはその上部にパチンコ球を貯留する景品球タンク６、該景品球タンク６から流下するパチンコ球を整列流下させるタンクレール７、またその一側部に該タンクレール７から流下する景品球の球圧を弱めるカーブ樋８、該カーブ樋８からパチンコ球を受け入れる景品球払出装置９、該景品球払出装置９から払い出された所定個数のパチンコ球を誘導する景品球排出樋１０等がそれぞれ配設されている。
【００２６】
また、前記機構板５のほぼ中央に窓口１１が開設され、該窓口１１に臨んで前記遊技盤４の裏面と対応する機構板５の前側に入賞球集合カバー（図示略）が設けられ、該入賞球集合カバーの裏面に突設した取付台１３に本発明に係わる基板収納ケース１４が装着されている。なお、１５は遊技盤４面に設けられた可変表示装置（図示略）の後方部分を覆い保護する保護カバーである。
【００２７】
前記基板収納ケース１４は、図２及び図３に示すように前記取付台１３に取り付けられる底板１６と、パチンコ遊技機の遊技状態を制御する主基板１７と、前記底板１６とほぼ同じ大きさからなり主基板１７を覆うようにして底板１６に取り付けられる箱状のカバー体１８とからなる。
【００２８】
前記底板１６は、後述するように取付台１３に接する縦長長方形の裏板１６ａと、凸状の四つ折れ状態となっている上面１６ｂを有している。また、底板１６の四隅角部には主基板１７を固定するための突起部（基板固定部材）１６ｃが設けられている。底板１６の上下両側端縁の左端には、底板１６とカバー体１８を接続するための先端が矢じり型となっている接続板１６ｄが備えられており、同じく底板１６の上下両側端縁のほぼ中央から右端にかけて複数（ここでは４個）の封印部材１６ｅが設けられている。該封印部材１６ｅは、カバー体１８に設けられている複数（ここでは４個）の封印部材１８ｄと嵌合可能となるように形成されている。
【００２９】
また、前記主基板１７は周知のように縦長長方形をなすプリント配線基板よりなり、各電子部品１７ａが関連付けられて配置されている実装面１７ｂと、該実装面１７ｂの裏側に位置する裏面１７ｃを有する。また、主基板１７の四隅角部には前記底板１６の突起部１６ｃを差し込むための止着孔１７ｄが貫設されており、主基板１７の一側には複数（ここでは５個）の入出力用コネクタ１７ｅが列設されている。
【００３０】
更に、前記カバー体１８は全体を透光性の合成樹脂材（透光性部材）によって形成され、底板１６に対応した形状をなす表板１８ａと側面１８ｂ，１８ｃ，１８ｅを有している。該表板１８ａの上下両側端縁に位置する上下側面１８ｂには、ほぼ中央から右端にかけて前述した複数（ここでは４個）の封印部材１８ｄが備えられている。また、左側面１８ｅは段部を有し前記主基板１７の一側に列設した各入出力用コネクタ１７ｅに被着されるコネクタ・カバー部１８ｆが備えられている。該コネクタ・カバー部１８ｆの上面には各入出力用コネクタ１７ｅに対応させて複数（ここでは５個）の開口１８ｇが方形に開設されている。
【００３１】
続いて、図４を用いて上記底板１６について詳細に説明する。図４（ａ）は底板１６の斜視図であり、図４（ｂ）は同断面図である。底板１６は、縦長長方形で平板の裏板１６ａと、該裏板１６ａに設けられる上面１６ｂを有している。なお、下面１６ａ´は取付台１３と接する。
【００３２】
上面１６ｂは、上面１６ｂの中心を頂点１６ｆとし、突起部１６ｃより内側に位置する上面１６ｂの四隅角部１６ｇと該頂点１６ｆとを結ぶ直線を境目として、凸状の四つ折れ状態となっており、頂点１６ｆに向かうに従って隆起した４つの傾斜面を有する傾斜部材となっている。ここで、該上面１６ｂを構成する４つの面は、すべて平面である。また、裏板１６ａからの該頂点１６ｆの高さ１６ｈは特に限定されない。
【００３３】
さらに、上述のように底板１６の上面１６ｂを裏板１６ａに対して傾斜した形状としたため、底板１６の上面１６ｂを構成する４つの面は、主基板１７に対して傾斜している（図７参照）。該４つの面が有する斜角度１６ｉは、上面１６ｂの中心を頂点１６ｆとしているため、全て同じ角度となっている。また、斜角度１６ｉは、頂点１６ｆの高さ１６ｈによって、即ち底板１６の上面１６ｂの形状によって変化する。ここで、該斜角度１６ｉは特に限定されず、主基板１７を底板１６の上方に配置した状態において、頂点１６ｆが裏面１７ｃに接するときの角度以下であればよい。
【００３４】
なお、頂点１６ｆは上面１６ｂの範囲内であれば、上面１６ｂの中心部であってもよいし、それ以外の位置であってもよい。また、上面１６ｂに、鏡面加工されたシールプレート（光反射部材）が貼り付けられている。なお、該シールプレートは上面１６ｂの全体に貼り付けてもよいし、上面１６ｂの一部に貼り付けてもよい。
【００３５】
上記底板１６の構成により、底板１６の上方に配置され、底板１６の上面１６ｂと対向する主基板１７の裏面１７ｃが、底板１６の上面に反射し（図５矢印）、シールプレート上の反射部１９ａ〜１９ｄに主基板１７の裏面１７ｃ全体が映し出される（図６参照）。また、該反射部１９ａ〜１９ｄを構成する各面には、該各面の上方に位置する主基板１７の裏面１７の対角線によって四分割された各部分２０ａ〜２０ｄ（１９ａには２０ａ，１９ｂには２０ｂ，１９ｃには２０ｃ，１９ｄには２０ｄ）が映し出される。
【００３６】
ここで、反射部１９ａ〜１９ｄの各面に映し出される主基板１７の裏面１７ｃの範囲は、底板１６の上面１６ｂの形状（即ち、底板１６の上面１６ｂの各面が有する斜角度１６ｉ）によって異なる。
【００３７】
本発明に係る基板収納ケース１４は上記構成よりなり、図７に示す手順により組み立てられる。即ち、まず前記主基板１７の裏面１７ｃを底板１６の上面１６ｂに対向させ、底板１６の各突起部１６ｃを主基板１７の各止着孔１７ｄに差し込み、主基板１７を底板１６に固着させる（図７（ａ），（ｂ）参照）。
【００３８】
ここで、底板１６の上面１６ｂは主基板１７に対して傾斜しているため、上記主基板１７の底板１６への固着により、主基板１７の裏面１７ｃがシールプレートに反射されることとなる。該反射は、底板１６の上面１６ｂが凸状となっているため、外方向（頂点１６ｆと逆方向）へ向かって反射する（図７（ａ）矢印）。なお、主基板１７と底板１６の裏板１６ａとは平行となるように設けられている。
【００３９】
次に、前記主基板１７を覆うようにして底板１６にカバー体１８を被せながら、接続板１６ｄを差し込みロックする（図７（ｃ）参照）。そして、前記底板１６の封印部材１６ｅ（図３参照）と前記カバー体１８の封印部材１８ｄ（図３参照）が互いに嵌合され、さらに、封印部材１６ｅの上部から抜脱不能な固定ねじ１８ｈを螺締する（図３参照）。これにより主基板１７がカバー体１８内に密封され、底板１６の裏板１６ａを取付台１３に取り付けることにより、該密封された基板収納ケース１４がパチンコ遊技機の裏面に装着される。
【００４０】
そして、図８に示すように、上記手順により組み立てられた基板収納ケース１４の横方向（カバー体１８の側面１８ｂ）から、シールプレートの反射部１９ａ〜１９ｄに映し出される主基板１７の裏面１７ｃを視認することができる。該視認は四方（カバー体１８の側面１８ｂ，１８ｃ，１８ｅ）から行うことが可能である。
【００４１】
また、主基板１７と底板１６との間から視認するため、基板収納ケース１４の一方向から底板１６の上面１６ｂを視認することができる範囲は、底板１６の上面１６ｂの下端２１ａから、頂点１６ｆより若干手前の位置２１ｂまでとなっている。ここで、該視認可能となる範囲は、上記斜角度１６ｉを変えたり、または底板１６の上面１６ｂの形状を変えることによって変化する。例えば、斜角度１６ｉを小さくすることで、上記頂点１６ｆの高さ１６ｈが低くなり、頂点１６ｆまで視認可能となる。
【００４２】
以上、本実施形態においては、底板１６の上面１６ｂにシールプレートを備え、底板１６の上面１６ｂの各面を主基板１７に対して傾斜させる構成としたため、底板１６の上面１６ｂに備えられたシールプレートに主基板１７の裏面１７ｃが映し出され、基板収納ケース１４の横方向（カバー体１８の側面１８ｂ，１８ｃ，１８ｅ）から主基板１７の裏面１７ｃを視認することができる。これにより、基板収納ケース１４を裏返すことなく主基板１７の裏面１７ｃを目視することが可能となり、基板収納ケース１４がパチンコ遊技機に装着された状態で主基板１７の裏面１７ｃを確認することができる。
【００４３】
（第１実施形態の変形例１）
次に図９〜図１１を参照して第１実施形態の変形例１の基板収納ケース１４について説明する。第１実施形態の変形例１は、第１実施形態の図４の代わりに図９を、図７の代わりに図１０を、図８の代わりに図１１を用いる。
【００４４】
上記第１実施形態では、底板１６の上面１６ｂの形状が凸状の四つ折れ状態となっているのに対して、実施形態１の変形例１では、底板１６の上面１６ｂの形状が凹状の四つ折れ状態となっている。
【００４５】
図９（ａ）は第１実施形態の変形例１の底板１６の斜視図であり、図９（ｂ）は同断面図である。底板１６の上面１６ｂは、上面１６ｂの中心を頂点１６ｆとし、突起部１６ｃより内側に位置する上面１６ｂの四隅角部１６ｇと該頂点１６ｆとを結ぶ直線を境目として、凹状の四つ折れ状態となっている。ここで、該上面１６ｂを構成する４つの面はすべて平面である。また、裏板１６ａからの該頂点１６ｆの高さ１６ｈは、特に限定されない。
【００４６】
さらに、実施形態１と同様、底板１６の上面１６ｂを裏板１６ａに対して傾斜した形状としたため、底板１６の上面１６ｂを構成する４つの面は、主基板１７に対して傾斜している。該４つの面が有する斜角度１６ｉは、上面１６ｂの中心を頂点１６ｆとしているため、全て同じ角度となっている。
【００４７】
ここで、該斜角度１６ｉは特に限定されず、頂点１６ｆが裏板１６ａに接するときの角度以下であればよい。なお、頂点１６ｆは上面１６ｂの範囲内であれば、上面１６ｂの中心であってもよいし、それ以外の位置であってもよい。また、実施形態１と同様、上面１６ｂに、鏡面加工されたシールプレートが貼り付けられている。該シールプレートは、上面１６ｂの全体に貼り付けてもよいし、上面１６ｂの一部に貼り付けてもよい。
【００４８】
上記底板１６を採用した基板収納ケース１４は、図１０に示すように、第１実施形態と同様の手順により組み立てられる。即ち、まず前記主基板１７の裏面１７ｃを底板１６の上面１６ｂに対向させ、主基板１７を底板１６に固着させる（図１０（ａ），（ｂ）参照）。
【００４９】
ここで、底板１６の上面１６ｂは主基板１７に対して傾斜しているため、主基板１７の裏面１７ｃがシールプレートに反射される。該反射は、底板１６の上面１６ｂが凹状となっているため、内方向（頂点１６ｆを通る垂線の方向）へ向かって反射する（図１０（ａ）矢印）。ここで、第１実施形態における上面１６ｂ上の反射部１９ａ〜１９ｄと同様のものの図示は省略されている。
【００５０】
なお、主基板１７と底板１６の裏板１６ａとは平行となるように設けられている。次に、前記主基板１７を覆うようにして底板１６にカバー体１８を被せながら、接続板１６ｄを差し込みロックする（図１０（ｃ）参照）。
【００５１】
該反射によりシールプレートに映し出される主基板１７の裏面１７ｃを、基板収納ケース１４の横方向（カバー体１８の側面１８ｂ）から視認することができる（図１１参照）。該視認は四方（カバー体１８の側面１８ｂ，１８ｃ，１８ｅ）から行うことが可能である。また、基板収納ケース１４の一方向から底板１６の上面１６ｂが視認可能となる範囲は、頂点１６ｆから底板１６の上面１６ｂの最奥部２１ｃまでとなっている。
【００５２】
以上、本変形例においては、底板１６の上面１６ｂにシールプレートを備え、底板１６の上面１６ｂを主基板１７に対して傾斜させる構成としたため、第１実施形態と同様の効果を発揮することができる。即ち、基板収納ケース１４を裏返すことなく主基板１７の裏面１７ｃを目視することが可能となり、基板収納ケース１４が遊技機に装着された状態で主基板１７の裏面１７ｃを確認することができる。
【００５３】
（第１実施形態の変形例２）
次に図１２および図１３を参照して第１実施形態の変形例２の基板収納ケース１４について説明する。第１実施形態の変形例２は、第１実施形態の図７の代わりに図１２を、図８の代わりに図１３を用いる。
【００５４】
上記第１実施形態では、底板１６の上面１６ｂの形状は凸状の四つ折れ状態となっており、該上面１６ｂが複数（４つ）の平面によって構成されているのに対して、実施形態１の変形例２では、底板１６の上面１６ｂの形状が底板１６の裏板１６ａに対して傾斜した１つの平面となっている。
【００５５】
図１２に示すように、底板１６の上面１６ｂの形状は１つの平面となっており、該上面１６ｂの左端部が右端部よりも高い位置に配置され、これにより上面１６ｂは主基板１７および底板１６の裏板１６ａに対し傾斜する状態となっている。
【００５６】
ここで、斜角度１６ｉは特に限定されず、また上面１６ｂ周縁部のいずれの部分を高い位置に配置してもよい。なお、第１実施形態と同様、上面１６ｂに鏡面加工されたシールプレートが貼り付けられている。該シールプレートは、上面１６ｂの全体に貼り付けてもよいし、上面１６ｂの一部に貼り付けてもよい。
【００５７】
上記底板１６を採用した基板収納ケース１４は、図１２に示すように、第１実施形態と同様の手順により組み立てられる。即ち、まず前記主基板１７の裏面１７ｃを底板１６の上面１６ｂに対向させ、主基板１７を底板１６に固着させる（図１２（ａ），（ｂ）参照）。ここで、底板１６の上面１６ｂは主基板１７に対して傾斜しているため、主基板１７の裏面１７ｃがシールプレートに反射される。該反射は、右側方向へ向かって反射する（図１２（ａ）矢印）。
【００５８】
なお、主基板１７と底板１６の裏板１６ａとは平行となるように設けられている。次に、前記主基板１７を覆うようにして底板１６にカバー体１８を被せながら、接続板１６ｄを差し込みロックする（図１２（ｃ）参照）。
【００５９】
該反射により、シールプレートに映し出される主基板１７の裏面１７ｃを、基板収納ケース１４の右側（カバー体１８の側面１８ｂ´）から視認することができる（図１３）。なお、上面１６ｂの左端部以外の周縁部を高い位置に配置した場合には、基板収納ケース１４外部の該周縁部と反対側の位置（例えば、上面１６ｂの右端部を高い位置に配置した場合には、基板収納ケース１４の左側）から視認することができる。また、該基板収納ケース１４の右側からの視認によって、底板１６の上面１６ｂ全体を視認することができ、したがって主基板１７の裏面１７ｃ全体を確認することができる。
【００６０】
以上、本変形例においては、底板１６の上面１６ｂの形状が、主基板１７および底板１６の裏板１６ａに対して傾いた１つの平面となる構成としたため、基板収納ケース１４の一方向から主基板１７の裏面１７ｃ全体を確認することができる。
【００６１】
また、底板１６の上面１６ｂの形状は平面となっており、該上面１６ｂにシールプレートを備える構成としたため、シールプレートを凹凸形成しなくてもよく、量産する場合において好適である。
【００６２】
（第２実施形態）
次に図１４および図１５を参照して第２実施形態の基板収納ケースについて説明する。第２実施形態は、第１実施形態の図７の代わりに図１４を、図８の代わりに図１５を用いる。第１実施形態の構成要素に対応する本実施形態の構成要素の説明は、図中の符号を１００番台として説明を援用する。
【００６３】
上記第１実施形態では、底板１６の上面１６ｂを主基板１７に対して傾斜させる構成としている。それに対して第２実施形態では、主基板１１７を底板１６の上面１６ｂに対して傾斜させる構成としている。
【００６４】
図１４は、基板収納ケース１１４の組み立て手順を示す図である。第１実施形態と同様に、まず主基板１１７の裏面１１７ｃを底板１１６の上面１１６ｂに対向させ、主基板１１７に貫設されている各止着孔１１７ｄに、底板１１６の四隅角部に備えられている突起部１１６ｆ，１１６ｇを差し込むことによって、主基板１１７を底板１１６に固着させる（図１４（ａ），（ｂ）参照）。
【００６５】
ここで、底板１１６の上面１１６ｂと裏板１１６ａとは一体となって設けられており、したがって該上面１１６ｂと裏板１１６ａとは平行状態となっている。また、該突起部１１６ｆ，１１６ｇのうち、底板１１６左側に備えられている２つの突起部１１６ｆは、底板１１６右側に備えられている２つの突起部１１６ｇよりも低く設けられている。
【００６６】
これにより、底板１１６の上面１１６ｂが主基板１１７に対して傾斜する状態となる。ここで、斜角度１１６ｉは特に限定されず、また突起部１１６ｆ，１１６ｇのいずれの部分を低く（または高く）設けてもよい。また、第１実施形態と同様、上面１１６ｂには、鏡面加工されたシールプレートが貼り付けられている。該シールプレートは、上面１１６ｂの全体に貼り付けてもよいし、上面１１６ｂの一部に貼り付けてもよい。
【００６７】
そして、上記主基板１１７の底板１１６への固着により、主基板１１７の裏面１１７ｃがシールプレートに反射されることとなる。該反射は、右側方向へ向かって反射する（図１４（ａ）矢印）。続いて、前記主基板１１７を覆うようにして底板１１６にカバー体１１８を被せながら、接続板１１６ｄを差し込みロックする（図１４（ｃ）参照）。
【００６８】
そして、図１５に示すように、上記手順により組み立てられた基板収納ケース１１４の右側（カバー体１１８側面１１８ｂ´）から、シールプレートに映し出される主基板１１７の裏面１１７ｃを視認することができる。
【００６９】
なお、底板１１６左側に備えられている２つの突起部１１６ｆ以外の突起部を低く設ける場合には、該低く設けた突起部と反対側の位置の基板収納ケース１１４外部（例えば、底板１１６右側に備えられている２つの突起部１１６ｇを低く設けた場合には、基板収納ケース１１４の左側）から視認することができる。また、該基板収納ケース１１４の右側からの視認によって、底板１１６の上面１１６ｂ全体を視認することができ、したがって主基板１１７の裏面１１７ｃ全体を確認することができる。
【００７０】
以上、本実施形態においては、主基板１１７を底板１１６の裏板１１６ａに対して傾斜させる構成としたため、基板収納ケース１１４の一方向から主基板１１７の裏面１１７ｃ全体を確認することができる。
【００７１】
また、高低差を付けた突起部１１６ｆ，１１６ｇを用いることにより、主基板１１７を底板１１６の上面１１６ｂに対して傾斜させる構成としたため、容易に主基板１１７と底板１１６の上面１１６ｂとが傾斜した状態にすることができ、上記第１実施形態の効果を発揮することができる。
【００７２】
また、底板１１６の上面１１６ｂの形状が１つの平面で、該上面１１６ｂに鏡面加工されたシールプレートを備える構成としたため、シールプレートを凹凸形成しなくてもよく、量産する場合において好適である。
【００７３】
（第３実施形態）
次に図１６を参照して第３実施形態の基板収納ケースについて説明する。第１実施形態の構成要素に対応する本実施形態の構成要素の説明は、図中の符号を２００番台として説明を援用する。
【００７４】
第３実施形態では、底板２１６の上面２１６ｂを照射するための発光部材２２２を、基板収納ケース２１４に設ける構成としている。ここで、該発光部材２２２は底板２１６の上面２１６ｂを照射できるものであれば、発光ダイオードでもよいし、白熱電球等でもよい。
【００７５】
図１６に示すように、第１実施形態と同様、底板２１６の上面２１６ｂが主基板２１７に対して傾斜し、該上面２１６ｂに鏡面加工されたシールプレートを貼り付けることにより、シールプレートに主基板２１７の裏面２１７ｃが反射され、基板収納ケース２１４の横方向（カバー体２１８の側面２１８ｂ，２１８ｃ，２１８ｅ）から主基板２１７の裏面２１７ｃを視認することができる。
【００７６】
そして、主基板２１７の裏面２１７ｃの中心部に一つの発光部材２２２を設け、該発光部材２２２を下方（底板２１６の上面２１６ｂ）に向かって発光させることにより、底板２１６の上面２１６ｂが照射される。これにより、シールプレートに映し出される主基板２１７の裏面２１７ｃの視認性を高めることができる。
【００７７】
ここで、発光部材２２２の設置位置は、底板２１６の上面２１６ｂを照射することができる位置であれば特に限定されず、裏面２１７ｃの中心部以外の裏面２１７ｃの位置に設置してもよいし、さらに主基板２１７の裏面２１７ｃ以外の位置に設置してもよい。また、発光部材２２２の数は一つに限らず、複数設けてもよい。
【００７８】
また、第１実施形態の変形例１および変形例２のように、底板２１６の上面２１６ｂが凸状以外の形状の基板収納ケース２１４や、第２実施形態のように主基板２１７を傾斜させた基板収納ケース２１４に、発光部材２２２を備えてもよい。
【００７９】
以上、本実施形態においては、底板２１６の上面２１６ｂを照射する発光部材２２２を設ける構成としたため、遊技機の裏面に設置されている主基板以外の各基板等により陰になりやすい位置に、基板収納ケース２１４が取り付けられる場合であっても、十分な視認性を確保して主基板２１７の裏面２１７ｃを視認することができる。
【００８０】
（第３実施形態の変形例１）
次に図１７を参照して第３実施形態の変形例１の基板収納ケースについて説明する。上記第３実施形態では、発光部材２２２を主基板２１７の裏面２１７ｃの中心部に設け、底板２１６の上面２１６ｂを照射する構成としている。それに対して、第３実施形態の変形例１では、発光部材２２３を底板２１６の四隅角部に備えられた突起部２１６ｃに設け、底板２１６の上面２１６ｂおよび主基板２１７の裏面２１７ｃを照射する構成としている。
【００８１】
図１７に示すように、底板２１６の四隅角部に備えられた突起部２１６ｃの側面に各々発光部材２２３を設け、該発光部材２２３を底板２１６の上面２１６ｂおよび主基板２１７の裏面２１７ｃに向かって発光させることにより、底板２１６の上面２１６ｂおよび主基板２１７の裏面２１７ｃが照射される。これにより、底板２１６の上面２１６ｂに映し出される主基板２１７の裏面２１７ｃの視認性を高めることができる。
【００８２】
ここで、発光部材２２３は、４つの突起部２１６ｃ全てに備えてもよいし、一つの突起部２１６ｃにのみ備える構成としてもよい。また、第１実施形態の変形例１，変形例２および第２実施形態の基板収納ケース２１４に発光部材２２３を備えてもよい。また、第３実施形態のように発光部材２２２を主基板２１７の裏面２１７ｃの中心部に設け、さらに突起部２１６ｃに発光部材２２３を設ける構成であってもよい。
【００８３】
（他の実施形態）
上記第１実施形態および第１実施形態の変形例１では、底板１６の上面１６ｂの形状が凸状または凹状の四つ折れ状態となっているが、底板の上面の形状を凸状または凹状のニつ折れ状態とすることが挙げられる。また、該ニつ折れ状態として例えば、底板の上面の中心線を境目にした凸状または凹状のニつ折れ状態などが挙げられる。
【００８４】
また、上記各実施形態では、底板１６,１１６，２１６の上面１６ｂ,１１６ｂ，２１６ｂに鏡面加工されたシールプレートを備える構成であるが、底板１６,１１６，２１６の上面１６ｂ,１１６ｂ，２１６ｂに半透明の反射膜を備え、底板を、底板の上面側からは反射鏡面に見え、底板の下面側からは透過して見えるマジックミラーとする構成としてもよい。ここで、該半透明の反射膜を備えるのは底板の全体であってもよいし一部であってもよい。そして、底板の上面と主基板とが傾斜した状態にする手段をとして、第１実施形態のように底板の上面を主基板に対して傾斜させてもよいし、第２実施形態のように主基板を底板の上面に対して傾斜させてもよい。なお、第３実施形態のように、発光部材を基板収納ケースに設ける構成とするのが好ましい。これにより、底板の上面に主基板の裏面が映し出され、基板収納ケースの横方向から主基板の裏面を視認でき、上記各実施形態と同様の効果を発揮することができると同時に、基板収納ケースを遊技機から取り外した状態において、底板の下面側から主基板の裏面を視認できる。
【００８５】
尚、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【００８６】
【図１】本発明が適用されるパチンコ遊技機の裏面図である。
【図２】第１実施形態に係る基板収納ケース１４の斜視図である。
【図３】第１実施形態に係る基板収納ケース１４の分解斜視図である。
【図４】第１実施形態に係る底板１６の（ａ）斜視図および（ｂ）断面図である。
【図５】第１実施形態に係る主基板１７の裏面１７ｃの反射態様を示す主基板１７および底板１６の斜視図である。
【図６】第１実施形態に係るシールプレートに反射した主基板１７の裏面１７ｃを示す主基板１７および底板１６の斜視図である。
【図７】第１実施形態に係る基板収納ケース１４の組み立て手順を示す図である。
【図８】第１実施形態に係る基板収納ケース１４の横方向から視認可能な範囲を示す図である。
【図９】第１実施形態の変形例１に係る底板１６の（ａ）斜視図および（ｂ）断面図である。
【図１０】第１実施形態の変形例１に係る基板収納ケース１４の組み立て手順を示す図である。
【図１１】第１実施形態の変形例１に係る基板収納ケース１４の横方向から視認可能な範囲を示す図である。
【図１２】第１実施形態の変形例２に係る基板収納ケース１４の組み立て手順を示す図である。
【図１３】第１実施形態の変形例２に係る基板収納ケース１４の横方向から視認可能な範囲を示す図である。
【図１４】第２実施形態に係る基板収納ケース１１４の組み立て手順を示す図である。
【図１５】第２実施形態に係る基板収納ケース１１４の横方向から視認可能な範囲を示す図である。
【図１６】第３実施形態に係る基板収納ケース２１４の断面図である。
【図１７】第３実施形態の変形例１に係る基板収納ケース２１４の断面図である。
【符号の説明】
【００８７】
１４・・・基板収納ケース １６・・・底板
１６ａ・・・底板の裏板 １６ａ´・・・底板の下面
１６ｂ・・・底板の上面 １６ｉ・・・斜角度
１７・・・主基板 １７ｂ・・・実装面
１７ｃ・・・裏面 １８・・・カバー体
２２２，２２３・・・発光部材
【図１】
2006230781.tif 000003
【図２】
2006230781.tif 000004
【図３】
2006230781.tif 000005
【図４】
2006230781.tif 000006
【図５】
2006230781.tif 000007
【図６】
2006230781.tif 000008
【図７】
2006230781.tif 000009
【図８】
2006230781.tif 000010
【図９】
2006230781.tif 000011
【図１０】
2006230781.tif 000012
【図１１】
2006230781.tif 000013
【図１２】
2006230781.tif 000014
【図１３】
2006230781.tif 000015
【図１４】
2006230781.tif 000016
【図１５】
2006230781.tif 000017
【図１６】
2006230781.tif 000018
【図１７】
2006230781.tif 000019